(57)【要約】【課題】パチンコ機の裏面に従来よりも大きなスペースを確保することができるパチンコ機の玉整列レールを提供する。【解決手段】パチンコ機の裏面上部に配設された玉タンク１から受入れた玉を、整列して玉計数払出し装置４に送り出すパチンコ機の玉整列レール２であって、該玉整列レール２を玉タンク１の横に並設する。玉整列レール２の上流側整列部２２と下流側整列部２４との間には、玉の流下方向を変更させる屈曲部２３を設けて玉均し効果を発揮させるとともに、玉の流路を長くして底面２５の傾斜を緩やかにする。この玉整列レール２はＵターン部２１を有するので、玉タンク１と一体成形により一体に成形することができる。【選択図】    図１
2004267392.tif 000002
【特許請求の範囲】
【請求項１】
パチンコ機の裏面上部に配設された玉タンクから受入れた玉を、整列して玉計数払出し装置に送り出すパチンコ機の玉整列レールであって、該玉整列レールを玉タンクの横に並設したことを特徴とするパチンコ機の玉整列レール。
【請求項２】
その途中に玉の流下方向を変更させる屈曲部を設けたことを特徴とする請求項１に記載のパチンコ機の玉整列レール。
【請求項３】
その底面が横断面円弧状の凹溝に形成されていることを特徴とする請求項１又は２に記載のパチンコ機の玉整列レール。
【請求項４】
円弧の曲率半径を上流側から下流側にかけて徐々に小さくして、下流側を玉１個が通過可能な幅に狭めたことを特徴とする請求項１〜３の何れかに記載のパチンコ機の玉整列レール。
【請求項５】
玉タンクと一体成形により一体に成形したことを特徴とする請求項１〜４の何れかに記載のパチンコ機の玉整列レール。
【発明の詳細な説明】
【０００１】
【発明の属する技術分野】
本発明は、パチンコ機の裏面上部に配設された玉タンクから送り込まれた玉を、一列に整列させて玉計数払出し装置に誘導するためのパチンコ機の玉整列レールに関するものである。
【０００２】
【従来の技術】
パチンコ機の遊技盤のほぼ中央には、その図柄が揃ったときに大当たりの権利を発生させる可変表示装置が配設されている。一方、パチンコ機の裏面には、例えば特開２００１−２９６１０号公報、図１に示すような機構盤が配設され、機構盤のほぼ中央部に窓が開設されて、この窓から前記可変表示装置の後部を臨ませている。そして、機構盤の上部には多数の玉を貯留するための玉タンクが配設され、玉タンクの下方には玉を一列に整列させて誘導する玉整列レールが連設されている。この玉整列レールの下流側端部には玉誘導路が接続され、さらにその下端には所定数の玉を計数して払い出す玉計数払出し装置が設けられている。そして、玉が入賞口に入賞した時などに発信される玉払出し信号によって玉計数払出し装置を作動させて所定数の玉を払出し、それに伴い玉タンクから玉整列レールに玉を払い出していた。
【０００３】
【特許文献１】特開２００１−２９６１０号公報（図１）
【０００４】
ところで、最近のパチンコ機には可変表示装置を大型化、複雑化したりして、遊技内容を興趣にあふれたものにすることが求められている。しかしながら、可変表示装置の後部が望む窓の大きさは、玉タンクとその下方に配置された玉整列レールの位置関係から制限があり、大型化した可変表示装置を装着することは困難なことであった。また、遊戯内容が複雑化するパチンコ機の部品の装着、配線などに対応するためにも、パチンコ機の裏面に従来よりも広いスペースを確保することが求められている。
【０００５】
【発明が解決しようとする課題】
本発明は上記した従来の問題点を解決し、パチンコ機の裏面に従来よりも大きなスペースを確保することができるパチンコ機の玉整列レールを提供するためになされたものである。
【０００６】
【課題を解決するための手段】
上記の課題を解決するためになされた本発明は、パチンコ機の裏面上部に配設された玉タンクから受入れた玉を、整列して玉計数払出し装置に送り出すパチンコ機の玉整列レールであって、該玉整列レールを玉タンクの横に並設したことを特徴とするものである。なお、途中に玉の流下方向を変更させる屈曲部を設けるのが望ましく、その底面が横断面円弧状の凹溝に形成するのが望ましく、また、円弧の曲率半径を上流側から下流側にかけて徐々に小さくして、下流側を玉１個が通過可能な幅に狭めるのが望ましい。また、上記した玉整列レールは玉タンクと一体成形により一体に成形することができる。
【０００７】
【発明の実施の形態】
以下に図面を参照しつつ本発明の好ましい実施形態を説明する。
図１〜３は本発明の玉整列レールを備えたパチンコ機の裏面上部を示す図であって、１は玉タンク、２は玉タンク１の横に並設された玉整列レール、３は玉誘導路、４は玉計数払出し装置である。玉タンク１の底面１１は一方の端に向けて低く傾斜しており、その端の玉出し口１２から玉を玉整列レール２に送り出す。
【０００８】
玉整列レール２は玉の流動方向を変更させるＵターン部２１と、Ｕターンした玉を順次整列させる上流側整列部２２と、上流側整列部２２から直角方向に連設された屈曲部２３と、この屈曲部２３に直角方向に連設された下流側整列部２４とからなり、それらの底面２５を順次低くなるように傾斜させてある。すなわち、Ｕターン部２１は玉タンク１から受入れた玉の流れをＵターンさせて上流側整列部２２に流す。上流側整列部２２は下流にかけて幅が縮小されているので、玉列を次第に減少させながら屈曲部２３に送る。屈曲部２３は上流からＬ字形に曲がって玉を受入れるとともに、その玉の流れ方向を再度Ｌ字形に折り曲げて元の方向に戻して下流側整列部２４に送り込む。下流側整列部２４は玉を一列に整列させたうえで玉誘導路３に送り出す。
【０００９】
以上のように、本発明の玉整列レール２は、玉タンク１の横方向にせり出した上流側整列部２２に屈曲部２３を連設して玉の流れを機構盤の方向（台板の方向）に変更させたうえ、この屈曲部２３に下流側整列部２４を連設したので、玉誘導路３の位置を従来のままとすることができる。したがって、設計変更の必要がない。また、玉整列レール２全体が玉タンク１の外周を周回するように形成してあるので、玉の流路を従来より長く取ることができる。よって、底面２５の傾斜を緩やかにすることができるので、整列レール２に懸かる玉圧を小さくすることができる。さらに、屈曲部２３により玉の流れを変えるので、多段に積み重なった状態の玉を崩して均すことができ玉詰まりの発生を防止することができる。
【００１０】
そして、玉整列レール２の底面２５は横断面円弧状の凹溝２６に形成してあって、凹溝２６の左右両側には上方に向けて垂直状に側壁２７が延設されている。また、底面２５は曲率半径が上流側から下流側にかけて徐々に狭くしてあって、最終的に下流側整列部２４の玉出口２８付近においては玉１個が通過可能な幅に狭めてあるので、複数列で流れ込んだ玉の列を一列の揃えることができる。このように、底面２５を円弧状に形成することによっても玉整列レール２に懸かる玉の流動抵抗を小さいものとすることができるので、玉詰まりの発生を防止することができる。なお、本発明の玉整列レール２は、その底面２５が横断面円弧状のものに限定されるものではなく、従来のように平坦な底面或いは両サイドから中央に向けて緩やかにＶ字型に傾斜させた底面を有するものとしても差し支えはない。
【００１１】
また、下流側整列部２４の上方には、玉を一段に均すための玉押さえ板２９が設けてあってその高さを下流側にかけて徐々に低く形成してある。そして、玉出口２８付近においては玉１個が通過可能な高さにしてあるので、玉は一段一列に整列されて玉誘導路３に送出される。
【００１２】
玉誘導路３の下端には、回転体４１と玉計数装置４２とからなる玉計数払出し装置４が配設されている。玉が遊技盤の玉入賞口に入賞したり、貸し玉が請求されたような場合には、発信される玉出し信号によって回転体４１が回転される。玉計数装置４２は払い出された玉を計数し、所定数の玉を払い出した時に回転体４１の回転を停止するので、玉計数払出し装置４は玉を玉導出路５に送り出すことができる。この玉送り出しに連動して玉タンク１から玉整列レール２に玉が払い出される。以上のようにして玉を常に玉計数払出し装置４に安定して供給することができる。
【００１３】
本発明の玉整列レール２は、玉タンク１にＵターン部２１が連設されたものであるので、玉タンク１と玉整列レール２とを樹脂を用いた一体成形により、一体に成形することができる。したがって、部品点数ならびに組み立て工数の削減を図ることができる。
【００１４】
【発明の効果】
以上に説明したように、本発明は、従来玉タンクの下方に配設されていた玉整列レールを玉タンクの横に並設したので、玉タンクを上方に位置させることができる。したがって、パチンコ機の裏面に従来よりも広いスペースを確保することができる。また、玉整列レールの途中に玉の流下方向を変更させる屈曲部を設けたので、多段に積み重なった状態の玉を崩して均すことができ、玉詰まりの発生を防止することができる。さらに、玉整列レールを玉タンクと一体に成形することができるので、部品点数ならびに組み立て工数の削減を図ることができるという大きな利点がある。
【図面の簡単な説明】
【図１】本発明の玉整列レールを備えたパチンコ機裏面上部の平面図である。
【図２】パチンコ機裏面上部の正面図である。
【図３】パチンコ機裏面上部の側面の断面図である。
【符号の説明】
１  玉タンク
２  玉整列レール
４  玉計数払出し装置
２１  Ｕターン部
２２  上流側整列部
２３  屈曲部
２４  下流側整列部
２５  底面
【図１】
2004267392.tif 000003
【図２】
2004267392.tif 000004
【図３】
2004267392.tif 000005